(57)【要約】      （修正有）【課題】人工大理石からなり、各種の色彩の施されている洗面流し台に配置される水栓を流し台や洗面台の色彩と同調する色彩を有する洗面流し台を提供する。【解決手段】人工大理石からなり表面に要望に応じて２５色のいずれかの色彩が施されてなる流し台や洗面台とこれ等に流水を流入する水栓１００とからなる洗面流し台における水栓１００であって、該水栓１００が吐出管１とその支持部２と支持部２に設けられている手回し部３によりなり、その表面に流し台や洗面台の色彩に調和する色彩を施されている。【選択図】図１
0003222630.tif 000002
【実用新案登録請求の範囲】
【請求項１】
人工大理石からなり表面に要望に応じて各種（２５色）のいずれかの色彩が施されてなる流し台や洗面台とこれ等に流水を流入する水栓とからなる洗面流し台における前記水栓であって、該水栓が吐出管とその支持部と支持部に設けられている手回し部によりなりその表面に前記流し台や洗面台の色彩に調和する色彩を施されていることを特徴とする色彩を有する洗面流し台。
【請求項２】
前記水栓の色彩を施されている部分が前記吐出管及び前記支持部や前記手回し部のいずれか又は全てであることを特徴とする請求項１に記載の色彩を有する洗面流し台。
【考案の詳細な説明】
【技術分野】
【０００１】  本考案は各種（２５色）のいずれから色彩が施されている人工大理石からなる流し台や洗面台とこれに流水するために設けられている水栓からなる洗面流し台の前記水栓が前記流し台や洗面台の色彩に調和する色彩が全面又は部分的に施されているものからなる色彩を有する洗面流し台に関する。
【背景技術】
【０００２】  学校や色々な施設等には人工大理石の流し台や洗面台が多く使用されているがこれ等の流し台や洗面台には色彩が施されているものが多く使用されている。この色彩は２５種類程有り使用者の要望に応じて希望する色彩に仕上げられている。これ等の流し台や洗面台には流水のための水栓が設けられているが従来では水栓としては各種のものがあるが色彩が施されているものは少ない。まして流し台や洗面台の色彩に調和して美観を保持するような色付きの水栓は従来ではない。
【考案の概要】
【考案が解決しようとする課題】
【０００３】  水栓は色彩が施されるものがあるがら流し台や洗面台の色彩に見合った色彩を施すには特別な技術が必要になる。しかし、本願はその色彩の施し方について権利を請求するものではなく、流し台や洗面台の色彩に見合った色彩の水栓を有する洗面流し台を提供することを目的とする。
【課題を解決するための手段】
【０００４】  本考案は以上の目的を達成するために請求項１の考案は、人工大理石からなり表面に要望に応じて各種（２５色）のいずれかの色彩が施されてなる流し台や洗面台とこれ等に流水を流入する水栓とからなる洗面流し台における前記水栓であって、該水栓が吐出管とその支持部と支持部に設けられている手回し部によりなりその表面に前記流し台や洗面台の色彩に調和する色彩を施されていることを特徴とする。【０００５】  また、請求項２の考案は、前記水栓の色彩を施されている部分が前記吐出管及び前記支持部や前記手回し部のいずれか又は全てであることを特徴とする。
【考案の効果】
【０００６】  本考案の請求項１の色彩を有する洗面流し台によれば色彩を有する流し台や洗面台に色彩のない又は任意の色付きの水栓を設けてなる洗面流し台としては全体の美観を保持することが出来ないが流し台や洗面台の色彩に見合う色彩の水栓を設けることにより全体の美観が向上し、使用者に喜びを与えることが出来る。【０００７】  また、請求項２の洗面流し台によれば水栓に施される色彩は水栓の全体でなくともそれ程問題ではなく、水栓の全ての部分に色彩を施すことは簡単ではなく、使用者の要望に調和して部分的の色彩を施すことも一応の美観を上げることが出来る。
【図面の簡単な説明】
【０００８】
【図１】  全体に色彩が施されている水栓の側面図。
【図２】  図１の上面図。
【図３】  一部に色彩の施されている水栓。
【図４】  一部に色彩の施されている水栓。
【考案を実施するための形態】
【０００９】  以下、本考案の色彩を有する洗面流し台の実施の形態を図面を参照して詳説する。
【００１０】  図１及び図２は水栓の中でも代表的形状を示す水栓１００であり、水栓としては各種のものがあるが形態は差異するが主要部分は大差がないため本願は水栓１００について説明するが他の形態の水栓についてもほぼ同様な内容で適用されることは勿論である。
【００１１】図１及び図２に示すように、水栓１００は先端にあって水等が流出する吐出管１と吐出管１とを支持する支持部２と水等の保有部分から水等を水栓１００に送るための手回し部３等とから構成される。
【００１２】  吐出管１は固定式のものもあるがここでは回転可能の形態のものが示されている。また、支持部２は流し台や洗面台が設置してある縦壁に通常固定され吐出管１は流し台や洗面台に水等を供給出来る位置に配置される。
【００１３】  本願は水栓１００の構造について説明するものでなく、水栓１００が色彩を形成している点について権利取得を希望するものである。
一般に水栓１００は色彩を施さないものが普通であるがこの場合は色彩のある流し台や洗面台との調和がとれずに全体の美観を損ねる問題点があった。
特に人工大理石からなる流し台や洗面台等は各種の色彩のものが使用される場合が多くこの場合、色彩のない水栓は調和が取れず美観を損ねる問題点があった。
【００１４】  本願はこの問題点を解決するもので水栓１００は色付きのものからまる。
この場合、単に水栓に色付けしても洗面流し台としての全体の美観を損う場合があり、本願は水栓の色彩を洗面流し台と調和する色彩を施したものから形成されることに特徴を有するものである。
【００１５】  図１及び図２に示す水栓１００は吐出管１、支持部２、手回し部３の全てに同色を施したものからなる。図示では空色が示されているが勿論これに限定するものではない。なお、人工大理石の洗面流し台としては２５色のものが有り、使用者の要望に応じて選定したものが使用されている。
従って水栓１００は色々の色彩の洗面流し台に調和する色彩のものが選出されるがその内容は施工者や使用者等の相談によって決められるのが普通であり、限定するものではなく、ここでは説明をしない。
【００１６】  水栓に施される色彩の内容としては吐出管１や支持部２や手回し部３が同色でなくても勿論よいが図３及び図４はそれ等の内の一部の場所に色彩を施したものが示されている。この内容も施工者や使用者等の相談によって決められる。図３は吐出管１と支持部２のみに同色（薄緑色）の色彩を施したものであり、図４は支持部２と手回し部３に赤色の色彩を施したものが一例として示されている。
【００１７】  本願は以上の内容のものからなるが、勿論この内容に限定されるものではなく、同一技術的内容のものが適用されることは勿論である。
【産業上の利用可能性】
【００１８】  本願は各種の水栓に対して適用されるものであり、その利用範囲は極めて広い。
【符号の説明】
【００１９】  １      吐出管
２      支持部
３      手回し部
１００  水栓
【図１】
0003222630.tif 000003
【図２】
0003222630.tif 000004
【図３】
0003222630.tif 000005
【図４】
0003222630.tif 000006